(57)【特許請求の範囲】
【請求項１】
ベースとこのベースに開閉可能に形成されたカバーとで構成された筐体内に電源部を収納させた電源装置において、
前記ベースに固着された取付板に摺動可能に保持されるとともに前記電源装置の稼働状態を表示する表示部または前記電源装置の動作を切換える切換スイッチの少なくともいずれか１方と前記カバーの開閉を検出する検出手段とを具備した操作部とを備え、
前記カバーは、このカバーを閉じたときに前記表示部または前記切換スイッチに対向する位置に前記表示部を視認する透視孔または前記切換スイッチを操作する操作孔の少なくともいずれか１方と前記カバーを閉じたときに前記検出手段に係合して前記操作部を摺動させる係合手段を備えたことを特徴とする電源装置。
【請求項２】
取付板に嵌合孔を配設し、
操作部に前記嵌合孔に嵌合して前記操作部を摺動可能に形成させる嵌合突起を配設したことを特徴とする請求項１記載の電源装置。
【請求項３】
係合手段を凸部で形成させ、
検出手段を前記凸部に嵌合する凹部で形成させたことを特徴とする請求項１または請求項２記載の電源装置。
【請求項４】
凹部に位置補正手段を設けたことを特徴とする請求項３記載の電源装置。
【請求項５】
カバーに補助凸部を配設し、
操作部に前記補助凸部に係合する補助凹部を配設したことを特徴とする請求項３または請求項４に記載の電源装置。
【請求項６】
カバーが閉じたときに前記凸部が近接して作動する第２の検出手段を凹部の近傍に配設したことを特徴とする請求項３から請求項５のいずれか１項に記載の電源装置。
【発明の詳細な説明】
【技術分野】
【０００１】
本発明は、開閉可能に形成されたカバーを備え、外部電源より供給された電力を所定の電力に変換して出力する電源装置に関するものである。
【背景技術】
【０００２】
従来の電源装置は、筐体内に電力変換部、バッテリィなどを収納させ、例えば、収納されたバッテリィをメンテナンスするためにカバー開閉可能としている。（例えば、特許文献１  図１参照）
また、カバーが不用意に開かれ、ケース内に収納された部品に人が触れることがないようにするために、カバーの開閉状態をフォトインタラプタで検出するようにしたカバーの開閉検出構造がある。（例えば、特許文献１  図１４参照）
【０００３】
【特許文献１】特開２０００−１６６１１９号公報
【特許文献２】特開平８−３０５４６４号公報
【発明の開示】
【発明が解決しようとする課題】
【０００４】
従来の電源装置は以上のように構成されているが、従来のカバーの開閉構造ではカバーの寸法バラツキなどにより、筐体内に収納された電源装置の稼働状態を表示する表示部または電源装置の動作を切換える切換スイッチと、カバーの表示部または切換スイッチに対向する位置に配設された表示部を視認するための透視孔または前記切換スイッチを操作するための操作孔との位置関係にズレが生じ、外部からの表示部の視認が困難、または切換スイッチの操作できないという問題があった。
また、カバーの開閉状態をフォトインタラプタを用いて検出する構造においてはフォトインタラプタの発光部から受光部への光の遮断を確実に行うことができず、カバーの開閉検出ができないという課題があった。
【０００５】
この発明は、上述のような課題を解決するためになされたもので、電源装置の稼働状態を表示する表示部が外部から確実に視認でき、また電源装置の動作を切換える切換スイッチの操作を確実に行えると共に、カバーの開閉状態の検出を確実に行なえる電源装置を得るものである。
【課題を解決するための手段】
【０００６】
この発明に係る電源装置は、ベースとこのベースに開閉可能に形成されたカバーとで構成された筐体内に電源部を収納させた電源装置において、ベースに固着された取付板と、この取付板に摺動可能に保持されるとともに電源装置の稼働状態を表示する表示部または電源装置の動作を切換える切換スイッチの少なくともいずれか１方とカバーの開閉状態を検出する検出手段とを具備した操作部とを備え、カバーは、このカバーを閉じたときに表示部または切換スイッチに対向する位置に表示部を視認する透視孔または切換スイッチを操作する操作孔の少なくともいずれか１方と、前記カバーを閉じたときに検出手段に係合して前記操作部を摺動させる係合手段を備えたものである。
【発明の効果】
【０００７】
この発明の電源装置はベースに固着された取付板と、この取付板に摺動可能に保持されるとともに電源装置の稼働状態を表示する表示部または電源装置の動作を切換える切換スイッチの少なくともいずれか１方とカバーの開閉状態を検出する検出手段とを具備した操作部とを備え、カバーは、このカバーを閉じたときに表示部または切換スイッチに対向する位置に表示部を視認する透視孔または切換スイッチを操作する操作孔の少なくともいずれか１方と、カバーを閉じるときに検出手段に係合して操作部を摺動させる係合手段を備えたので、カバーを閉じる動作において、検出手段と係合手段との関係位置が合致していない場合でも、カバーを閉じる方向に押し付けると、係合手段が位置補正手段に当接した後、係合手段が位置補正手段に沿って移動すると共に操作部がカバーの係合手段の位置に対応して摺動するので、操作部に配設された表示部及び切換スイッチに対向してカバーに配設された表示部を視認する透視孔及び切換スイッチを操作する操作孔の位置が合致し、表示部の視認性が良く、切換スイッチの操作性が良い。
また、係合手段が第２の検出手段に適切に近接するのでカバーの開閉状態検出を確実に行なえる。
【発明を実施するための最良の形態】
【０００８】
実施の形態１．
図１は、この発明の実施の形態１における電源装置を示す外観斜視図、図２は図１のカバーを開いたときの正面斜視図、図３は図１のＡ−Ａ側断面図、図４は図２の操作部の拡大斜視図、図５は図４の操作部を取外したときの拡大分解斜視図、図６は図５の要部拡大図、図７は図３のフォトインタラプタの要部拡大図である。
図１から図４において、電源装置１００は、例えば合成樹脂成型品から成り開閉可能に形成されたカバー１及びベース２とで形成された筐体１０内に収納された電源部３、電源部３を冷却する冷却ファン４、及び電源部３の動作を操作する操作部５から構成されている。
【０００９】
ベース２には取付板６が固着され、取付板６には後述のねじ孔６ｃに締結されるねじ７、後述のフック１ｅが係合するロック孔８が配設されており、操作部５は取付板６に摺動可能に保持されている。
図５、図６に示されるように、操作部５には第1の嵌挿突起５ａ（図示しないが左右に対称的に配設）及び第２の嵌挿突起５ｂ（図示しないが左右に対称的に配設）が突設され、取付板６には第1の嵌合孔６ａ、及び第２の嵌合孔６ｂ（図示しないが左右に対称的に配設）が配設されている。
【００１０】
第1の嵌合孔６ａに嵌挿される第1の嵌挿突起５ａと第２の嵌合孔６ｂに嵌挿される第２の嵌挿突起５ｂの寸法関係は図６に示される様に形成されており、操作部５を矢印Ｂ方向に移動させて取付板６に当接させると、第1の嵌挿突起５ａ及び第２の嵌挿突起５ｂが第1の嵌合孔６ａと第２の嵌合孔６ｂの夫々に嵌挿し、次に、操作部５を矢印Ｃ方向（図６−ａに示す）に移動させると第1の嵌挿突起５ａの係止部５ａ１及び第２の嵌挿突起５ｂの係止部５ｂ１が第1の嵌合孔６ａの係止部６ａ１及び第２の嵌合孔６ｂの係止部６ｂ１の夫々に係止され、操作部５は取付板６に簡易的に保持される。
【００１１】
次に、ねじ７を取付板６に配設されたねじ孔６ｃに締付けると、操作部５は天方向（反矢印Ｃ方向）に対してはねじ孔６ｃにより移動不能に形成され、操作部５は取付板６に保持される。この時、第1の嵌挿突起５ａのｅ寸法は第1の嵌合孔６ａのｆ寸法より小さく形成され、第２の嵌挿突起５ｂのｇ寸法は第２の嵌合孔６ｂのｈ寸法よりも小さく形成されているので、操作部５は取付板６に保持された状態で矢印Ｄ方向（図４に示す）には摺動可能に形成される。
【００１２】
操作部５には、カバー１の開閉状態を検出する発光部５ｃ１と受光部５ｃ２とで形成された第２の検出手段であるフォトインタラプタ５ｃ（図４、図７に示す）、位置補正手段である傾斜部５ｄが配設された検出手段である凹部５ｅ、傾斜部５ｆが配設された補助凹部５ｇ、電源装置１００の稼働状態を表示する表示部５ｈ、電源装置１００の動作を切換える切換スイッチ５ｉ、及び電源装置１００の動作を設定する設定スイッチ５ｊが配設されている。
【００１３】
フォトインタラプタ５ｃは発光部５ｃ１と受光部５ｃ２の略中間位置に発光部５ｃ１が発光した光を遮断する光遮断部５ｃ３を形成している。
なお、上記の説明では、位置補正手段である傾斜部５ｄ及び傾斜部５ｆを凹部５ｅ及び補助凹部５ｇに形成させたが、後述する係合手段である凸部１ａに傾斜面を形成させ（例えば、歯車の歯の形状にして）位置補正手段にしても良い。
【００１４】
カバー１にはこのカバー１が閉じたときに凹部５ｅに嵌挿すると共にフォトインタラプタ５ｃの発光部５ｃ１と受光部５ｃ２間の光を遮断する係合手段である凸部１ａ（図３に示す）、補助凹部５ｇに係合する補助凸部１ｂ、表示部５ｈを外部から視認するために配設された透視孔１ｃ、及び切換スイッチ５ｉを外部から操作する操作孔１ｄ、カバー１を閉じた状態に拘束するフック１ｅ（図２に示す）が配設されている。
【００１５】
以上のように構成された実施の形態１の電源装置１００は、カバー１を開き（図２に示す）、電源部３を構成する図示しないバッテリィを取り出しメンテナンスした後、カバー１を閉じると、凸部１ａが凹部５ｅに嵌挿しフォトインタラプタ５ｃの発光部と受光部間の光を遮断し、この遮断信号は操作部５の図示しない信号処理手段で処理され、カバー１が閉状態であることを所定の方法にて電源装置１００を管理する部門に通報する。
なお、補助凸部１ｂは、凸部１ａが凹部５ｅに嵌挿するとほぼ同時に補助凹部５ｇに嵌挿する。
その後、カバー１は、フック１ｅをロック孔８に係合させることによりロックされる。
【００１６】
次に、この発明の実施の形態１の電源装置１００のカバー１を閉じるときの各部の詳細動作について説明する。
カバー１は合成樹脂成型品などで形成されることから、寸法精度が悪く、また、経年変化などにより凸部１ａ及び補助凸部１ｂの位置寸法が所望の寸法でなくなる場合が発生する。また、カバーを閉じる際に何らか外力が加わり歪みが発生した場合、所望の位置に戻らない場合も発生する。
【００１７】
カバー１の凸部１ａ及び補助凸部１ｂの位置寸法が操作部５の凹部５ｅ及び補助凹部５ｇに対して所望の寸法でない場合、凸部１ａが凹部５ｅに嵌挿し難くなり、また、補助凸部１ｂは補助凹部５ｇに嵌挿し難くなるが、カバー１を閉じる方向に強く押し付けると凸部１ａは傾斜部５ｄに、補助凸部１ｂは傾斜部５ｆに当接した後、凸部１ａは傾斜部５ｄに沿って移動すると共に、補助凸部１ｂは傾斜部５ｆに沿って移動する。このとき、操作部５は取付板６に摺動可能に保持されているので、凸部１ａが凹部５ｅに、補助凸部１ｂが補助凹部５ｇに確実に嵌挿され、凸部１ａはフォトインタラプタ５の発光部５ｃ１と受光部５ｃ２の光遮断部５ｃ３に導入される。
【００１８】
以上のように構成されたこの発明の実施の形態１における電源装置においては、操作部５が取付板６に摺動可能に保持されているので、カバー１を閉じる動作において、検出手段である凹部５ｅと係合手段である凸部１ａの関係位置が合致していない場合、操作部５がカバー１の凸部１ａの位置に対応して摺動するので、操作部５に配設された表示部５ｈ、切換スイッチ５ｉに対向する位置に配設された表示部５ｈを視認する透視孔１ｃ、切換スイッチ５ｉを操作する操作孔１ｄの位置が合致するので、表示部５ｈの視認性、切換スイッチ５ｉの操作性が良い。
【００１９】
また、第1の嵌挿突起５ａのｅ寸法を第1の嵌合孔６ａのｆ寸法より小さく形成させ、第２の嵌挿突起５ｂのｇ寸法を第２の嵌合孔６ｂのｈ寸法よりも小さく形成させることにより、操作部５を取付板６に保持された状態で摺動可能に形成させており、簡単な構造で実現している。
さらにまた、凹部５ｅに位置補正手段である傾斜部５ｄを設けたので、凸部１ａが傾斜部５ｄに当接し、カバー１を閉じる方向に押し付けると凸部１ａが位置補正手段である傾斜部５ｄに沿って移動するので、凸部１ａが確実に凹部５ｅに嵌挿される。
【００２０】
さらにまた、係合手段として補助凸部１ｂを備え、カバー１が閉じたときに補助凸部１ｂに係合する補助凹部５ｇを操作部５の上端面に配設したので、操作部５がカバー１に対して平行に装着されるという効果がある。
さらにまた、カバーの開閉状態を検出する第２の検出手段であるフォトインタラプタ５ｃの発光部５ｃ１と受光部５ｃ２の光遮断部５ｃ３に係合手段である凸部１ａが確実に導入されてカバー１の開閉状態検出が確実に行なえる。
【００２１】
なお、上記の説明では検出手段を凹部、係合手段を凸部で形成させたが、検出手段を凸部、係合手段を凹部で形成させても良く、また、カバー１に配設された係合手段に操作部５に配設された検出手段が係合し、操作部５がカバー１の係合手段の位置に対応して摺動する構造であれば、それ以外の構成であっても良い。
また、上記の説明では第２の検出手段としてフォトインタラプタ５ｃを用い、カバー１に配設した係合手段である凸部１ａで光を遮断するようにしたが、第２の検出手段としてホール素子などの磁気検出手段を用い、係合手段の凸部１ａを永久磁石で形成させ、永久磁石がホール素子に近接することでカバー１の開閉状態を検出するようにしても良い。
【図面の簡単な説明】
【００２２】
【図１】この発明の実施の形態１における電源装置を示す外観斜視図である。
【図２】図１のカバーを開いたときの正面斜視図である。
【図３】図１のＡ−Ａ側断面図である。
【図４】図２の操作部の拡大斜視図である。
【図５】図４の操作部を取外したときの拡大分解斜視図である。
【図６】図５の要部拡大図である。
【図７】図３のフォトインタラプタの要部拡大図である。
【符号の説明】
【００２３】
１  カバー、１ａ  凸部（係合手段）、１ｂ  補助凸部、１ｃ  透視孔１ｃ、
１ｄ  操作孔、１ｅ  フック、２  ベース、３  電源部、４  冷却ファン、
５  操作部、  ５ａ  第1の嵌挿突起、５ａ１、５ｂ１、６ａ１、６ｂ１  係止部、
５ｂ  第２の嵌挿突起、５ｃ  フォトインタラプタ（第２の検出手段）、
５ｃ１  発光部、  ５ｃ２  受光部、５ｃ３  光遮断部、
５ｄ、５ｆ  傾斜部（位置補正手段）、  ５ｅ  凹部（検出手段）、
５ｇ  補助凹部、  ５ｈ  表示部、５ｉ  切換スイッチ、  ５ｊ  設定スイッチ、
６  取付板、  ６ａ  第1の嵌合孔、６ｂ  第２の嵌合孔、６ｃ  ねじ孔、
７  ねじ、８  ロック孔、  １０  筐体、１００  電源装置。
【図１】
0004561624.tif 000002
【図２】
0004561624.tif 000003
【図３】
0004561624.tif 000004
【図４】
0004561624.tif 000005
【図５】
0004561624.tif 000006
【図６】
0004561624.tif 000007
【図７】
0004561624.tif 000008